(57)【要約】【課題】  ダグを衣服に針状の締結器具でつけることなく、管理システムにより管理して衣服を業務としてクリーニングする業務用クリーニング方法とそれに用いる網袋とハンガーとバンドを提供しようとする。【解決手段】  従来の衣服を業務としてクリーニングする業務用クリーニング方法に変わって、管理のためのコードである管理コードを表すことのできるタグである管理タグを準備する準備工程と、管理システムにより衣服に紐つけられた前記管理コードを表された前記管理タグを発行する発行工程と、衣服と前記管理タグとを一体として扱える様にするタグ付け工程と、衣服を洗浄する洗浄工程と、を備え、前記タグ付け工程は衣服のポケットに前記管理タグを入れ、前記洗浄工程は前記管理タグをポケットに入れられた衣服を前記管理タグごと洗浄する、ものとする。【選択図】    図１
2018000652.tif 000002
【特許請求の範囲】
【請求項１】
管理システムにより管理して衣服を業務としてクリーニングする業務用クリーニング方法であって、
管理のためのコードである管理コードを表すことのできるタグである管理タグを準備する準備工程と、
管理システムにより衣服に関連づけられた前記管理コードを表された前記管理タグを発行する発行工程と、
衣服と前記管理タグとを一体として扱える様にするタグ付け工程と、
衣服を洗浄する洗浄工程と、
を備え、
前記タグ付け工程は衣服のポケットに前記管理タグを入れ、
前記洗浄工程は前記管理タグをポケットに入れられた衣服を前記管理タグごと洗浄する、
ことを特徴とする業務用クリーニング方法。
【請求項２】
洗浄した衣服を乾燥させる乾燥工程と、
衣服を仕上げる仕上げ工程と、
衣服を包装するための前処理をする包装前工程と、
を備え、
前記準備工程は前記管理タグと前記管理タグを保持できるハンガーとを準備し、
前記乾燥工程または前記包装前工程は衣服を前記ハンガーに掛け、さらに衣服のポケットから取りだした前記管理タグを前記ハンガーに保持させる、
ことを特徴とする請求項１に記載の業務用クリーニング方法。
【請求項３】
管理システムにより管理して衣服を業務としてクリーニングする業務用クリーニング方法であって、
管理のためのコードである管理コードを表すことのできるタグである管理タグと衣服を入れることのできるメッシュ状の袋であるメッシュ袋とを準備する準備工程と、
管理システムにより衣服に関連づけられた前記管理コードを表された前記管理タグを発行する発行工程と、
前記管理タグと衣服とを一体として扱える様にするタグ付け工程と、
衣服を洗浄する洗浄工程と、
を備え、
前記メッシュ袋は前記管理タグを保持できる部分である管理タグ保持部を設けられ、
前記タグ付け工程は衣服を前記メッシュ袋に入れて、さらに前記メッシュ袋に設けられる前記管理タグ保持部に前記管理タグを保持させ、
前記洗浄工程は前記管理タグを保持する前記管理タグ保持部が固定される前記メッシュ袋に入れられる衣服を前記メッシュ袋ごと洗浄する、
ことを特徴とする業務用クリーニング方法。
【請求項４】
洗浄した衣服を乾燥させる乾燥工程と、
衣服を仕上げる仕上げ工程と、
衣服を包装するための前処理をする包装前工程と、
を備え、
前記準備工程は前記管理タグと前記管理タグを保持できるハンガーとを準備し、
前記乾燥工程または前記包装前工程は衣服をハンガーに掛け、さらに衣服を入れたメッシュ袋の管理タグ保持部から取りだした前記管理タグをハンガーに付ける、
ことを特徴とする請求項３に記載の業務用クリーニング方法。
【請求項５】
管理システムにより一群として管理される単数または複数の衣服を業務としてクリーニングする業務用クリーニング方法であって、
管理のためのコードである群管理コードを表すことのできるタグである群管理タグと群管理タグを付けられるベルトとを準備する準備工程と、
管理システムにより一群として管理される単数または複数の衣服に関連づけられる前記群管理コードを表された前記群管理タグを発行する発行工程と、
前記群管理タグと一群として管理される単数または複数の衣服とを一体として扱える様にするタグ付け工程と、
一群として管理される単数または複数の衣服を洗浄する洗浄工程と、
を備え、
前記タグ付け工程が前記群管理タグを付けるベルトで一群として管理される単数または複数の衣服を束ねて縛り、
前記洗浄工程が前記群管理タグを付けるベルトごと一群として管理される単数または複数の衣服を洗浄する、
ことを特徴とする業務用クリーニング方法。
【請求項６】
一群として管理される単数または複数の衣服を各々に仕上げる仕上げ工程と、
一群として管理される単数または複数の衣服を包装するための前処理をする包装前工程と、
を備え、
前記準備工程は前記群管理タグと前記ベルトとハンガーと前記群管理コードに関連づけられる単数または複数の管理コードを各々に表される単数または複数の管理タグとを準備し、
前記包装前工程は一群として管理される単数または複数の衣服を単数または複数の前記ハンガーに各々に掛け、さらに前記群管理コードに関連づけられた単数または複数の管理コードを各々に表された単数または複数の管理タグを単数または複数の前記ハンガーに各々に付ける、
ことを特徴とする請求項５に記載の業務用クリーニング方法。
【請求項７】
管理システムにより管理して衣服を業務として行うクリーニングに用いるメッシュ袋であって、
衣服を入れることのできるメッシュ状の袋であるメッシュ袋本体と、
管理システムにより衣服に関連づけられた管理のためのコードである管理コードを表されたタグである管理タグを保持できる部分であり前記メッシュ袋本体に固定される管理タグ保持部と、
を備えることを特徴とするメッシュ袋。
【請求項８】
前記管理タグ保持部が前記管理タグを入れることのできるポケット状の部分である、
ことを特徴とする請求項７に記載のメッシュ袋。
【請求項９】
管理システムにより一群として管理される単数または複数の衣服を業務として行うクリーニングに用いるベルトであって、
一群として管理される単数または複数の衣服を束ねて縛ることをできるベルト本体と、
管理システムにより一群として管理される単数または複数の衣服に関連づけられた管理のためのコードである群管理コードを表される群管理タグを保持できる部分であり前記ベルト本体に固定される管理タグ保持部と、
を備えることを特徴とするベルト。
【請求項１０】
前記管理タグ保持部が前記群管理タグを保持でき前記ベルト本体に固定できるプレート状の部分である、
ことを特徴とする請求項９に記載のベルト。
【請求項１１】
管理システムにより管理して衣服を業務として行うクリーニングに用いるハンガーであって、
衣服を掛けることのできるハンガー本体と、
管理システムにより衣服に関連づけられた管理のためのコードである管理コードを表されるタグである管理タグを保持できる部分であり前記ハンガー本体に固定される管理タグ保持部と、
を備えることを特徴とするハンガー。
【請求項１２】
前記管理タグ保持部は前記管理タグを挟むことのできるクリップ状の部分である、
ことを特徴とする請求項１１に記載のハンガー。
【発明の詳細な説明】
【技術分野】
【０００１】
本発明は、衣服を業務としてクリーニングする業務用クリーニング方法とそれに用いるメッシュ袋とベルトとハンガーに関する。
【背景技術】
【０００２】
クリーニング業は、衣服を業務としてクリーニングする業態である。
【０００３】
クリーニングでは、衣服の種類に応じてクリーニング方法を選択する。
例えば、ワイシャツは水洗いを基本としてクリーニングする。
例えば、スーツ、婦人上衣、スカート、コート、等の一般衣服は、ドライクリーニングを基本としてクリーニングする。
【０００４】
お客は、クリーング店にクリーニングを依頼する衣服、等を持ち込む。
クリーニング店は、顧客ごとに管理伝票と管理タグとを発行する。
管理伝票には、顧客に関連づけられる顧客コードが表される。
例えば、管理伝票は、店舗控とお預かり票と複数の加工票とで構成される。
店舗控は、店舗に控える伝票である。
お預かり票は、顧客にお渡しする預かり票である。
加工票は、クリーニング工場へ衣服とともに送られる伝票である。
例えば、複数の加工票は、検品され袋に入れられたたワイシャツに添付されてワイシャツのためのクリーニング工場へ送られる加工票と、検品され袋にいれた一般衣服に添付されて一般衣服のためのクリーニング工場へおくられる加工票とで構成される。
管理タグは、衣服に関連づけられる管理コードを印刷したタグである。
管理伝票には、それぞれ管理コードが表される。
ワイシャツと一般衣服は、検品された後で、管理タグを付けられる。その後、袋に入れられてクリーニング工場に送られる。
【０００５】
ワイシャツのためのクリーニング工場では以下のクリーニング方法を実施する。
クリーニング工業でのクリーニング方法は、洗浄工程と仕上工程と包装工程とアッセンブリ工程とで構成される。
洗浄工程では、ワイシャツを水洗いし、脱水する。
仕上工程では、ワイシャツを加熱プレスし仕上げる。
包装工程では、ワイシャツをハンガーに掛けたり、ワイシャツを畳んで袋つめする。
アッセンブリ工程は、包装されたワイシャツを顧客毎にまとめる。
その後、アッセンブリされたワイシャツは店舗に出荷される。
【０００６】
一般衣服のためのクリーニング工場では以下のクリーニング方法を実施する。
クリーニング工場でのクリーニング方法は、ドライクリーニング工程と乾燥工程と、仕上工程と包装工程とアッセンブリ工程とで構成される。
ドライクリーニング工程では、衣服をドライクリーニングし、脱液する。
乾燥工程では、衣服を乾燥させる。
仕上工程では、衣服を加熱プレスし仕上げる。
包装工程では、衣服をハンガーに掛けたり、衣服を畳んで袋つめする。
アッセンブリ工程は、包装された衣服を顧客毎にまとめる。
その後、アッセンブリされた衣服は店舗に出荷される。
【０００７】
店舗では、クリーニング工場から返却されたワイシャツ、一般衣服を客にわたす。
【０００８】
クリーニング工場では、ワイシャツ、一般衣服を管理コードで管理する。
管理タグは管理コードが表された耐水性素材のタグである。
従来の方法では、管理タグをワイシャツ、一般衣服に付けている。
例えば、管理ダグをワイシャツ、一般衣服に針状の締結器具（いわゆる、ホッチキス）でつけており、その作業に要する人力が負担になっていた。
【発明の概要】
【発明が解決しようとする課題】
【０００９】
本発明は以上に述べた問題点に鑑み案出されたもので、ダグを衣服に針状の締結器具でつけることなく、管理システムにより管理して衣服を業務としてクリーニングする業務用クリーニング方法とそれに用いるメッシュ袋とハンガーとバンドを提供しようとする。
【課題を解決するための手段】
【００１０】
上記目的を達成するため、本発明に係る管理システムにより管理して衣服を業務としてクリーニングする業務用クリーニング方法であって、管理のためのコードである管理コードを表すことのできるタグである管理タグを準備する準備工程と、管理システムにより衣服に関連づけられた前記管理コードを表された前記管理タグを発行する発行工程と、衣服と前記管理タグとを一体として扱える様にするタグ付け工程と、衣服を洗浄する洗浄工程と、を備え、前記タグ付け工程は衣服のポケットに前記管理タグを入れ、前記洗浄工程は前記管理タグをポケットに入れられた衣服を前記管理タグごと洗浄する、ものとする。
【００１１】
上記本発明の構成により、準備工程は、管理のためのコードである管理コードを表すことのできるタグである管理タグを準備する。発行工程は、管理システムにより衣服に関連づけられた前記管理コードを表された前記管理タグを発行する。前記タグ付け工程は、衣服のポケットに前記管理タグを入れて、衣服と前記管理タグとを一体として扱える様にする。前記洗浄工程は、前記管理タグをポケットに入れられた衣服を前記管理タグごと洗浄して、衣服を洗浄する。
その結果、従来の管理タグを衣服に固定する作業を省略できて管理のための作業が簡便になる。
【００１２】
以下に、本発明の実施形態に係る業務用クリーニング方法を説明する。本発明は、以下に記載した実施形態のいずれか、またはそれらの中の二つ以上が組み合わされた態様を含む。
【００１３】
本発明の実施形態に係る業務用クリーニング方法は、洗浄した衣服を乾燥させる乾燥工程と、衣服を仕上げる仕上げ工程と、衣服を包装するための前処理をする包装前工程と、を備え、前記準備工程は前記管理タグと前記管理タグを保持できるハンガーとを準備し、前記乾燥工程または前記包装前工程は仕上げられた衣服を前記ハンガーに掛け、さらに衣服のポケットから取りだした前記管理タグを前記ハンガーに保持させる、ものとする。
上記の実施形態の構成により、ハンガーは、前記管理タグを保持できる。仕上げ工程は、衣服を仕上げる。前記乾燥工程または前記包装前工程は、仕上げられた衣服を前記ハンガーに掛け、さらに衣服のポケットから取りだした前記管理タグを前記ハンガーに保持させ、衣服を乾燥させる、または衣服を包装するための前処理をする。
その結果、従来の管理タグを衣服に固定する作業を省略できて客に返却する衣服の見栄えが向上する。
【００１４】
上記目的を達成するため、本発明に係る管理システムにより管理して衣服を業務としてクリーニングする業務用クリーニング方法であって、管理のためのコードである管理コードを表すことのできるタグである管理タグと衣服を入れることのできるメッシュ状の袋であるメッシュ袋とを準備する準備工程と、管理システムにより衣服に関連づけられた前記管理コードを表された前記管理タグを発行する発行工程と、前記管理タグと衣服とを一体として扱える様にするタグ付け工程と、衣服を洗浄する洗浄工程と、を備え、前記メッシュ袋は前記管理タグを保持できる部分である管理タグ保持部を設けられ、前記タグ付け工程は衣服を前記メッシュ袋に入れて、さらに前記メッシュ袋に設けられる前記管理タグ保持部に前記管理タグを保持させ、前記洗浄工程は前記管理タグを保持する前記管理タグ保持部が固定される前記メッシュ袋に入れられる衣服を前記メッシュ袋ごと洗浄する、
ものとする。
【００１５】
上記本発明の構成により、管理タグは、管理のためのコードである管理コードを表すことのできるタグである。前記メッシュ袋は、前記管理タグを保持できる部分である管理タグ保持部を設けられ、衣服を入れることのできるメッシュ状の袋である発行工程は、管理システムにより衣服に関連づけられた前記管理コードを表された前記管理タグを発行する。前記タグ付け工程は、衣服を前記メッシュ袋に入れて、さらに前記メッシュ袋に設けられる前記管理タグ保持部に前記管理タグを保持させて、前記管理タグと衣服とを一体として扱える様にする。前記洗浄工程は前記管理タグを保持する前記管理タグ保持部が固定される前記メッシュ袋に入れられる衣服を前記メッシュ袋ごと洗浄して、衣服を洗浄する。
その結果、従来の管理タグを衣服に固定する作業を省略できて管理のための作業が簡便になる。
【００１６】
以下に、本発明の実施形態に係る業務用クリーニング方法を説明する。本発明は、以下に記載した実施形態のいずれか、またはそれらの中の二つ以上が組み合わされた態様を含む。
【００１７】
本発明の実施形態に係る業務用クリーニング方法は、洗浄した衣服を乾燥させる乾燥工程と、衣服を仕上げる仕上げ工程と、衣服を包装するための前処理をする包装前工程と、を備え、前記準備工程は前記管理タグと前記管理タグを保持できるハンガーとを準備し、前記包装前工程は仕上げられた衣服をハンガーに掛け、さらに衣服を入れたメッシュ袋の管理タグ保持部から取りだした前記管理タグをハンガーに付ける、ものとする。
上記の実施形態の構成により、ハンガーは、前記管理タグを保持できる。仕上げ工程は、衣服を仕上げる。前記乾燥工程または前記包装前工程は、仕上げられた衣服をハンガーに掛け、さらに衣服を入れたメッシュ袋の管理タグ保持部から取りだした前記管理タグをハンガーに付けて、洗浄した衣服を乾燥させる、または衣服を包装するための前処理をする。
その結果、従来の管理タグを衣服に固定する作業を省略できて客に返却する衣服の見栄えが向上する。
【００１８】
上記目的を達成するため、本発明に係る管理システムにより一群として管理される単数または複数の衣服を業務としてクリーニングする業務用クリーニング方法であって、管理のためのコードである群管理コードを表すことのできるタグである群管理タグと群管理タグを付けられるベルトとを準備する準備工程と、管理システムにより一群として管理される単数または複数の衣服に関連づけられる前記群管理コードを表された前記群管理タグを発行する発行工程と、前記群管理タグと一群として管理される単数または複数の衣服とを一体として扱える様にするタグ付け工程と、一群として管理される単数または複数の衣服を洗浄する洗浄工程と、を備え、前記タグ付け工程が前記群管理タグを付けるベルトで一群として管理される単数または複数の衣服を束ねて縛り、前記洗浄工程が前記群管理タグを付けるベルトごと一群として管理される単数または複数の衣服を洗浄する、
ものとする。
【００１９】
上記本発明の構成により、群管理タグは、管理のためのコードである群管理コードを表すことのできるタグである。ベルトは、群管理タグを付けられる。発行工程は、管理システムにより一群として管理される単数または複数の衣服に関連づけられる前記群管理コードを表された前記群管理タグを発行する。前記タグ付け工程は、前記群管理タグを付けるベルトで一群として管理される単数または複数の衣服を束ねて縛って、前記群管理タグと一群として管理される単数または複数の衣服とを一体として扱える様にする。前記洗浄工程は、前記群管理タグを付けるベルトごと一群として管理される単数または複数の衣服を洗浄して、一群として管理される単数または複数の衣服を洗浄する。
その結果、従来の管理タグを衣服に固定する作業を省略して、一群の単数または複数の衣服を群として管理でき、管理のための作業が簡便になる。
【００２０】
以下に、本発明の実施形態に係る業務用クリーニング方法を説明する。本発明は、以下に記載した実施形態のいずれか、またはそれらの中の二つ以上が組み合わされた態様を含む。
【００２１】
本発明の実施形態に係る業務用クリーニング方法は、一群として管理される単数または複数の衣服を各々に仕上げる仕上げ工程と、一群として管理される単数または複数の衣服を包装するための前処理をする包装前工程と、を備え、前記準備工程は前記群管理タグと前記ベルトとハンガーと前記群管理コードに関連づけられる単数または複数の管理コードを各々に表される単数または複数の管理タグとを準備し、
前記包装前工程は一群として管理される単数または複数の衣服を単数または複数の前記ハンガーに各々に掛け、さらに前記群管理コードに関連づけられた単数または複数の管理コードを各々に表された単数または複数の管理タグを単数または複数の前記ハンガーに各々に付ける、ものとする。
上記の実施形態の構成により、仕上げ工程は、一群として管理される単数または複数の衣服を各々に仕上げる。前記包装前工程は一群として管理される単数または複数の衣服を単数または複数の前記ハンガーに各々に掛け、さらに前記群管理コードに関連づけられた単数または複数の管理コードを各々に表された単数または複数の管理タグを単数または複数の前記ハンガーに各々に付けて、一群として管理される単数または複数の衣服を包装するための前処理をする。
その結果、従来の管理タグを衣服に固定する作業を省略できて、返却する衣服の見栄えが向上する。
【００２２】
上記目的を達成するため、本発明に係る管理システムにより管理して衣服を業務として行うクリーニングに用いるメッシュ袋であって、衣服を入れることのできるメッシュ状の袋であるメッシュ袋本体と、管理システムにより衣服に関連づけられた管理のためのコードである管理コードを表されたタグである管理タグを保持できる部分であり前記メッシュ袋本体に固定される管理タグ保持部と、を備えるものとする。
【００２３】
上記本発明の構成により、メッシュ袋本体は、衣服を入れることのできるメッシュ状の袋である。管理タグ保持部は、管理システムにより衣服に関連づけられた管理のためのコードである管理コードを表されたタグである管理タグを保持できる部分であり前記メッシュ袋本体に固定される。
その結果、従来の管理タグを衣服に固定する作業を省略できて管理のための作業が簡便になる。
【００２４】
以下に、本発明の実施形態に係るメッシュ袋を説明する。本発明は、以下に記載した実施形態のいずれか、またはそれらの中の二つ以上が組み合わされた態様を含む。
【００２５】
本発明の実施形態に係るメッシュ袋は、前記管理タグ保持部が前記管理タグを入れることのできるポケット状の部分である、ものとする。
上記の実施形態の構成により、前記管理タグ保持部は、前記管理タグを入れることのできるポケット状の部分である。
その結果、従来の管理タグを衣服に固定する作業を省略できて管理のための作業が簡便になる。
【００２６】
上記目的を達成するため、本発明に係る管理システムにより一群として管理される単数または複数の衣服を業務として行うクリーニングに用いるベルトであって、一群として管理される単数または複数の衣服を束ねて縛ることをできるベルト本体と、管理システムにより一群として管理される単数または複数の衣服に関連づけられた管理のためのコードである群管理コードを表される群管理タグを保持できる部分であり前記ベルト本体に固定される管理タグ保持部と、を備えるものとする。
【００２７】
上記本発明の構成により、ベルト本体は、一群として管理される単数または複数の衣服を束ねて縛ることをできる。管理タグ保持部は、管理システムにより一群として管理される単数または複数の衣服に関連づけられた管理のためのコードである群管理コードを表される群管理タグを保持できる部分であり前記ベルト本体に固定される。
その結果、従来の管理タグを衣服に固定する作業を省略できて管理のための作業が簡便になる。
【００２８】
以下に、本発明の実施形態に係るベルトを説明する。本発明は、以下に記載した実施形態のいずれか、またはそれらの中の二つ以上が組み合わされた態様を含む。
【００２９】
本発明の実施形態に係るベルトは、前記管理タグ保持部が前記群管理タグを保持でき前記ベルト本体に固定できるプレート状の部分である、ものとする。
上記の実施形態の構成により、前記管理タグ保持部が前記群管理タグを保持でき前記ベルト本体に固定できるプレート状の部分である。
その結果、従来の管理タグを衣服に固定する作業を省略できて管理のための作業が簡便になる。
【００３０】
上記目的を達成するため、本発明に係る管理システムにより管理して衣服を業務として行うクリーニングに用いるハンガーであって、衣服を掛けることのできるハンガー本体と、管理システムにより衣服に関連づけられた管理のためのコードである管理コードを表されるタグである管理タグを保持できる部分であり前記ハンガー本体に固定される管理タグ保持部と、を備えるものとする。
【００３１】
上記本発明の構成により、ハンガー本体は、衣服を掛けることのできる。管理タグ保持部は、管理システムにより衣服に関連づけられた管理のためのコードである管理コードを表されるタグである管理タグを保持できる部分であり前記ハンガー本体に固定される。
その結果、従来の管理タグを衣服に固定する作業を省略できて管理のための作業が簡便になる。
【００３２】
以下に、本発明の実施形態に係るハンガーを説明する。本発明は、以下に記載した実施形態のいずれか、またはそれらの中の二つ以上が組み合わされた態様を含む。
【００３３】
本発明の実施形態に係るハンガーは、前記管理タグ保持部は前記管理タグを挟むことのできるクリップ状の部分である、ものとする。
上記の実施形態の構成により、前記管理タグ保持部は前記管理タグを挟むことのできるクリップ状の部分である、
その結果、従来の管理タグを衣服に固定する作業を省略できて管理のための作業が簡便になる。
【００３４】
上記目的を達成するため、本発明に係る管理システムにより管理して一群として管理される単数または複数の衣服を業務として行うクリーニングに用いるハンガーであって、衣服を掛けることのできるハンガー本体と、管理システムにより一群として管理される単数または複数の衣服に関連づけられた管理のためのコードである群管理コードを表されるタグである群管理タグを保持できる部分であり前記ハンガー本体に固定される管理タグ保持部と、を備えるものとする。
【００３５】
上記本発明の構成により、ハンガー本体は、衣服を掛けることのできる。管理タグ保持部は、管理システムにより一群として管理される単数または複数の衣服に関連づけられた管理のためのコードである群管理コードを表されるタグである群管理タグを保持できる部分であり前記ハンガー本体に固定される。
その結果、従来の管理タグを衣服に固定する作業を省略できて管理のための作業が簡便になる。
【００３６】
以下に、本発明の実施形態に係るハンガーを説明する。本発明は、以下に記載した実施形態のいずれか、またはそれらの中の二つ以上が組み合わされた態様を含む。
【００３７】
本発明の実施形態に係るハンガーは、前記管理タグ保持部は前記群管理タグを挟むことのできるクリップ状の部分である、ものとする。
上記の実施形態の構成により、前記管理タグ保持部は前記群管理タグを挟むことのできるクリップ状の部分である。
その結果、従来の管理タグを衣服に固定する作業を省略できて管理のための作業が簡便になる。
【発明の効果】
【００３８】
以上説明したように、本発明に係る衣服を業務としてクリーニングする業務用クリーニング方法とそれに用いるメッシュ袋とベルトとハンガーとは、その構成により、以下の効果を有する。
衣服に関連づけられた前記管理コードを表された前記管理タグを発行し、衣服のポケットに前記管理タグを入れて衣服と前記管理タグとを一体として扱える様にし、前記管理タグをポケットに入れられた衣服を前記管理タグごと洗浄して衣服を洗浄する様にしたので、
従来の管理タグを衣服に固定する作業を省略できて管理のための作業が簡便になる。
また、衣服を仕上げて、仕上げられた衣服を前記ハンガーに掛け、さらに衣服のポケットから取りだした前記管理タグを前記ハンガーに保持させて、衣服を乾燥させる、または衣服を包装するための前処理をする様にしたので、従来の管理タグを衣服に固定する作業を省略できて客に返却する衣服の見栄えが向上する。
管理システムにより衣服に関連づけられた前記管理コードを表された前記管理タグを発行し、前記管理タグを保持する前記管理タグ保持部が固定される前記メッシュ袋に入れられる衣服を前記メッシュ袋ごと洗浄して衣服を洗浄する様にしたので、従来の管理タグを衣服に固定する作業を省略できて管理のための作業が簡便になる。
また、衣服を仕上げ、仕上げられた衣服をハンガーに掛け、さらに衣服を入れたメッシュ袋の管理タグ保持部から取りだした前記管理タグをハンガーに付けて、衣服を乾燥させる、または衣服を包装するための前処理をする様にしたので、従来の管理タグを衣服に固定する作業を省略できて客に返却する衣服の見栄えが向上する。
管理システムにより一群として管理される単数または複数の衣服に関連づけられる前記群管理コードを表された前記群管理タグを発行し、前記群管理タグを付けるベルトで一群として管理される単数または複数の衣服を束ねて縛って、前記群管理タグと一群として管理される単数または複数の衣服とを一体として扱える様にし、前記群管理タグを付けるベルトごと一群として管理される単数または複数の衣服を洗浄して、一群として管理される単数または複数の衣服を洗浄する様にしたので、従来の管理タグを衣服に固定する作業を省略して、一群の単数または複数の衣服を群として管理でき、管理のための作業が簡便になる。
また、一群として管理される単数または複数の衣服を各々に仕上げ、一群として管理される単数または複数の衣服を複数の前記ハンガーに各々に掛け、さらに前記群管理タグに関連づけられる管理タグを複数の前記ハンガーに各々に付けて、一群として管理される単数または複数の衣服を包装するための前処理をする様にしたので、従来の管理タグを衣服に固定する作業を省略できて、返却する衣服の見栄えが向上する。
衣服を入れることのできるメッシュ袋に管理システムにより衣服に関連づけられた管理のためのコードである管理コードを表されたタグである管理タグを保持できる部分を固定する様にしたので、従来の管理タグを衣服に固定する作業を省略できて管理のための作業が簡便になる。
また、メッシュ袋に前記管理タグを入れることのできるポケット状の部分を固定する様にしたので、従来の管理タグを衣服に固定する作業を省略できて管理のための作業が簡便になる。
一群として管理される単数または複数の衣服を束ねて縛ることをできるベルト本体に、管理システムにより一群として管理される単数または複数の衣服に関連づけられた管理のためのコードである群管理コードを表される群管理タグを保持できる部分を固定する様にしたので、従来の管理タグを衣服に固定する作業を省略できて管理のための作業が簡便になる。
また、一群として管理される単数または複数の衣服を束ねて縛ることをできるベルト本体に前記群管理タグを保持でき前記ベルト本体に固定できるプレート状の部分を固定する様にしたので、従来の管理タグを衣服に固定する作業を省略できて管理のための作業が簡便になる。
ハンガー本体に管理システムにより衣服に関連づけられた管理のためのコードである管理コードを表されるタグである管理タグを保持できる部分を固定する様にしたので、従来の管理タグを衣服に固定する作業を省略できて管理のための作業が簡便になる。
また、ハンガー本体に前記管理タグを挟むことのできるクリップ状の部分を固定する様にしたので、従来の管理タグを衣服に固定する作業を省略できて管理のための作業が簡便になる。
ハンガー本体に、管理システムにより一群として管理される単数または複数の衣服に関連づけられた管理のためのコードである群管理コードを表されるタグである群管理タグを保持できる部分を固定する様にしたので、従来の管理タグを衣服に固定する作業を省略できて管理のための作業が簡便になる。
また、ハンガー本体に、前記管理タグ保持部は前記群管理タグを挟むことのできるクリップ状の部分を固定する様にしたので、従来の管理タグを衣服に固定する作業を省略できて管理のための作業が簡便になる。
従って、ワイシャツ、一般衣服に針状の締結器具でつけることなく、管理システムにより管理して衣服を業務としてクリーニングする業務用クリーニング方法とそれに用いるメッシュ袋とハンガーとバンドを提供できる。
【図面の簡単な説明】
【００３９】
【図１】本発明の第一乃至二の実施形態に係る業務用クリーニング方法のフロー図である。
【図２】本発明の第一の実施形態に係るタグ付け工程の概念図である。
【図３】本発明の第一の実施形態に係る乾燥工程の概念図である。
【図４】本発明の第一の実施形態に係る包装前工程の概念図である。
【図５】本発明の第二の実施形態に係るタグ付け工程の概念図である。
【図６】本発明の第二の実施形態に係る乾燥工程の概念図である。
【図７】本発明の第二の実施形態に係る包装前工程の概念図である。
【図８】本発明の第三の実施形態に係る業務用クリーニング方法のフロー図である。
【図９】本発明の第三の実施形態に係るタグ付け工程の概念図である。
【図１０】本発明の第三の実施形態に係る包装前工程の概念図である。
【図１１】本発明の実施形態に係るメッシュ袋の概念図である。
【図１２】本発明の実施形態に係るベルトの概念図である。
【図１３】本発明の実施形態に係るハンガーの概念図である。
【発明を実施するための形態】
【００４０】
以下、本発明を実施するための形態を、図面を参照して説明する。
【００４１】
本発明の第一の実施形態にかかる業務用クリーニング方法を、図を基に、説明する。
図１は、本発明の第一乃至二の実施形態に係る業務用クリーニング方法のフロー図である。図２は、本発明の第一の実施形態に係るタグ付け工程の概念図である。図３は、本発明の第一の実施形態に係る乾燥工程の概念図である。図４は、本発明の第一の実施形態に係る包装前工程の概念図である。
衣服は  ポケットを持つ衣服である。
説明の便宜上、衣服は背広であるとして説明する。
一般に、背広は、ドライクリーニングされる。
特に汚れがひどいときには、背広は水洗いされる。
【００４２】
本発明の第一の実施形態にかかる業務用クリーニング方法は、管理システムにより管理して衣服を業務としてクリーニングする方法である。
本発明の第一の実施形態にかかる業務用クリーニング方法は、準備工程と発行工程Ｓ１２とタグ付け工程Ｓ１３と洗浄工程Ｓ２１とで構成される。
本発明の第一の実施形態にかかる業務用クリーニング方法は、準備工程と発行工程Ｓ２とタグ付け工程Ｓ１３と洗浄工程Ｓ２１と乾燥工程Ｓ２２と仕上げ工程Ｓ２３と包装前工程Ｓ２４とで構成されてもよい。
本発明の第一の実施形態にかかる業務用クリーニング方法は、準備工程と発行工程Ｓ２とタグ付け工程Ｓ１３と洗浄工程Ｓ２１と乾燥工程Ｓ２２と仕上げ工程Ｓ２３と包装前工程Ｓ２４と包装工程Ｓ２５とで構成されてもよい。
本発明の第一の実施形態にかかる業務用クリーニング方法は、準備工程と受付工程Ｓ１１と発行工程Ｓ１２とタグ付け工程Ｓ１３と袋入れ工程Ｓ１４と洗浄工程Ｓ２１と乾燥工程Ｓ２２と仕上げ工程Ｓ２３と包装前工程Ｓ２４と包装工程Ｓ２５とアッセンブリ工程Ｓ２６と返却工程Ｓ３１とで構成されてもよい。
【００４３】
準備工程と受付工程Ｓ１１と発行工程Ｓ１２とタグ付け工程Ｓ１３と袋入れ工程Ｓ１４とは店舗前工程Ｓ１０であり、店舗で顧客ごとに実施される。
洗浄工程Ｓ２１と乾燥工程Ｓ２２と仕上げ工程Ｓ２３と包装前工程Ｓ２４と包装工程Ｓ２５とアッセンブリ工程Ｓ２６とは工場工程Ｓ２０であり、工場で衣服毎に実施される。
返却工程Ｓ３１は店舗後工程であり、店舗で顧客毎に実施される。
【００４４】
準備工程は、管理タグ２０を準備する工程である。
準備工程は、管理タグ２０とハンガー３００、４００とを準備してもよい。。
管理タグ２０は、管理のためのコードである管理コードを表すことのできるタグである。
管理タグ２０は、衣服１０毎に発行される。
【００４５】
ハンガー３００、４００は、管理システムにより管理して衣服を業務として行うクリーニングに用いるものである。
ハンガー３００は、ハンガー本体３１０と管理タグ保持部３２０とで構成される。
ハンガー本体３１０は、衣服を掛けることのできるものである。
管理タグ保持部３２０は、管理システムにより衣服に関連づけられた管理のためのコードである管理コードを表されるタグである管理タグ２０を保持できる部分であり、ハンガー本体３１０に固定される。
管理タグ保持部３２０は、管理タグ２０を挟むことのできるクリップ状の部分であってもよい。
ハンガーには、工場内ハンガー３００とサービスハンガー４００とがある。
工場内ハンガー３００は、クリーニング工場の中で用いるハンガーである。
サービスハンガー４００は、衣服を掛けてお客に提供するハンガーである。
【００４６】
発行工程Ｓ１２は、管理システムにより衣服に関連づけられた管理コードを表された管理タグ２０を発行する。
管理コードは、管理システムにより衣服毎に衣服に関連づけられる。
店舗でクリーニングのための衣服を受け取ると、管理伝票と共に管理タグ２０を発行する。
【００４７】
タグ付け工程Ｓ１３は、衣服１０と管理タグ２０とを一体として扱える様にする工程である。
タグ付け工程Ｓ１３は、衣服１０のポケットに管理タグ２０を入れる。
タグ付け工程Ｓ１３は、衣服１０のポケットに管理タグ２０を入れて、衣服１０と管理タグ２０とを一体として扱える様にする。
タグ付け工程Ｓ１３は、衣服１０がポケットを持っているときに、衣服１０のポケットに管理タグ２０を入れて、衣服１０と管理タグ２０とを一体として扱える様にする。
図２は、ポケットを持つ衣服１１である背広のポケットに管理タグ２０を入れて、衣服と管理タグ２０とを一体として扱える様にする様子を示す。
【００４８】
袋入れ工程Ｓ１４は、衣服１０を袋に入れて、工場へ入荷する。
【００４９】
洗浄工程Ｓ２１は、衣服を洗浄する工程である。
洗浄工程Ｓ２１は、管理タグ２０をポケットに入れられた衣服を管理タグ２０ごと洗浄する。
洗浄工程Ｓ２１は、管理タグ２０をポケットに入れられた衣服１０を管理タグ２０ごと洗浄し、衣服を洗浄する。
洗浄工程Ｓ２１は、衣服１０を管理タグ２０ごとドライクリーニングし、乾燥させてもよい。
洗浄工程Ｓ２１は、衣服１０を管理タグ２０ごと水洗いし、乾燥させてもよい。
【００５０】
乾燥工程Ｓ２２は、衣服を乾燥させる工程である。
乾燥工程Ｓ２２は、衣服をハンガーを用いて吊るして乾燥させてもよい。
乾燥工程Ｓ２２は、ポケットに管理タグ２０をいれたままの衣服をハンガーに掛けて、衣服を乾燥させてもよい。
図３（Ａ）は、仕上げられた衣服である背広をハンガーである工場内ハンガー３００に掛ける様子を示す。
乾燥工程Ｓ２２は、ポケットに管理タグ２０をいれたままの衣服を回転するドラムを用いて乾燥させてもよい。
図３（Ｂ）は、仕上げられた衣服である背広を回転ドラムで乾燥させる様子を示す。
【００５１】
仕上げ工程Ｓ２３は、洗浄を終了した衣服を仕上げする工程である。
仕上げ工程Ｓ２３は、洗浄を終了した衣服を加熱プレスして、衣服を仕上げる。
【００５２】
包装前工程Ｓ２４は、衣服を包装するための前処理をする工程である。
包装前工程Ｓ２４は、仕上げられた衣服をハンガーに掛け、さらに衣服のポケットから取りだした管理タグをハンガーに保持させて、衣服を包装するための前処理をする。
図４は、仕上げられた衣服である背広をハンガーであるサービスハンガー４００に掛け、さらに衣服のポケットから取りだした管理タグをサービスハンガー４００に保持させる様子を示す。
【００５３】
包装工程Ｓ２５は、衣服１０を包装する工程である。
包装工程Ｓ２５は、衣服をハンガーにかけたまま透明の袋にいれる。
包装工程Ｓ２５は、衣服をハンガーから外して、折り畳んでもよい。
【００５４】
アッセンブリ工程Ｓ２６は、顧客単位に衣服をまとめる工程である。
アッセンブリ工程Ｓ２６は、管理伝票を基に、顧客単位に衣服をまとめて、店舗へ出荷する。
【００５５】
返却工程Ｓ３１は、クリーニングを完了した衣服を顧客に返却する工程である。
【００５６】
次に、本発明の第二の実施形態にかかる業務用クリーニング方法を、図を基に、説明する。
図１は、本発明の第一乃至二の実施形態に係る業務用クリーニング方法のフロー図である。図５は、本発明の第二の実施形態に係るタグ付け工程の概念図である。図６は、本発明の第二の実施形態に係る乾燥工程の概念図である。図７は、本発明の第二の実施形態に係る包装前工程の概念図である。
衣服は、ポケットを持たない衣服であってもよい。
以下では、説明の便宜上、衣服はスカートであるとして説明する。
一般に、スカートはドライクリーニングされる。
特に汚れがひどいときに、スカートは水洗いされる。
【００５７】
本発明の第二の実施形態にかかる業務用クリーニング方法は、管理システムにより管理して衣服を業務としてクリーニングする方法である。
本発明の第一の実施形態にかかる業務用クリーニング方法は、準備工程と発行工程Ｓ１２とタグ付け工程Ｓ１３と洗浄工程Ｓ２１とで構成される。
本発明の第一の実施形態にかかる業務用クリーニング方法は、準備工程と発行工程Ｓ１２とタグ付け工程Ｓ１３と洗浄工程Ｓ２１と乾燥工程Ｓ２２と仕上げ工程Ｓ２３と包装前工程Ｓ２４とで構成されてもよい。
本発明の第一の実施形態にかかる業務用クリーニング方法は、準備工程と発行工程Ｓ１２とタグ付け工程Ｓ１３と洗浄工程Ｓ２１と乾燥工程Ｓ２２と仕上げ工程Ｓ２３と包装前工程Ｓ２４と包装工程Ｓ２５とで構成されてもよい。
本発明の第一の実施形態にかかる業務用クリーニング方法は、準備工程と受付工程Ｓ１１と発行工程Ｓ１２とタグ付け工程Ｓ１３と袋入れ工程Ｓ１４と洗浄工程Ｓ２１と乾燥工程Ｓ２２と仕上げ工程Ｓ２３と包装前工程Ｓ２４と包装工程Ｓ２５とアッセンブリ工程Ｓ２６と返却工程Ｓ３１とで構成されてもよい。
【００５８】
準備工程と受付工程Ｓ１１と発行工程Ｓ１２とタグ付け工程Ｓ１３と袋入れ工程Ｓ１４とは店舗前工程Ｓ１０であり、店舗で顧客ごとに実施される。
洗浄工程Ｓ２１と乾燥工程Ｓ２２と仕上げ工程Ｓ２３と包装前工程Ｓ２４と包装工程Ｓ２５とアッセンブリ工程Ｓ２６とは工場工程Ｓ２０であり、工場で衣服毎に実施される。
返却工程Ｓ３１は店舗後工程であり、店舗で顧客毎に実施される。
【００５９】
受付工程Ｓ１１と発行工程Ｓ１２と袋入れ工程Ｓ１４とと仕上げ工程Ｓ２２包装工程Ｓ２５とアッセンブリ工程Ｓ２６と返却工程Ｓ３１の構成は、第一の実施形態にかかるものと同じなので、説明を省略する。
【００６０】
準備工程は、管理タグ２０とメッシュ袋１００とを準備する工程である。
準備工程は、管理タグ２０とメッシュ袋１００とハンガー３００、４００とを準備してもよい。
管理タグ２０は、管理のためのコードである管理コードを表すことのできるタグである。
管理タグ２０は、衣服１０毎に発行される。
管理コードは、衣服に関連づけされる。
メッシュ袋１００は、衣服を入れることのできるメッシュ状の袋である。
【００６１】
ハンガー３００、４００は、管理システムにより管理して衣服を業務として行うクリーニングに用いるものである。
ハンガー３００は、ハンガー本体３１０と管理タグ保持部３２０とで構成される。
ハンガー本体３１０は、衣服を掛けることのできるものである。
管理タグ保持部３２０は、管理システムにより衣服に関連づけられた管理のためのコードである管理コードを表されるタグである管理タグ２０を保持できる部分であり、ハンガー本体３１０に固定される。
管理タグ保持部３２０は、管理タグ２０を挟むことのできるクリップ状の部分であってもよい。
ハンガーには、工場内ハンガー３００とサービスハンガー４００とがある。
工場内ハンガー３００は、クリーニング工場の中で用いるハンガーである。
サービスハンガー４００は、衣服を掛けてお客に提供するハンガーである。
【００６２】
メッシュ袋１００は、管理システムにより管理して衣服を業務として行うクリーニングに用いるものである。
メッシュ袋１００は、管理タグを保持できる部分である管理タグ保持部を設けられる。
メッシュ袋１００は、メッシュ袋本体１１０と管理タグ保持部１２０とで構成される。
メッシュ袋本体１１０は、衣服を入れることのできるメッシュ状の袋である。
管理タグ保持部１２０は、管理システムにより衣服に関連づけられた管理のためのコードである管理コードを表されたタグである管理タグ２０を保持できる部分でありメッシュ袋本体１１０に固定される。
管理タグ保持部１２０が管理タグ２０を入れることのできるポケット状の部分であってもよい。
図１１は、メッシュ袋１００の一例を示す。
図１１は、メッシュ袋本体１１０に管理タグ保持部１２０が固定される様子を示す。
【００６３】
タグ付け工程Ｓ１３は、管理タグと衣服とを一体として扱える様にする工程である。
タグ付け工程Ｓ１３は、衣服１０をメッシュ袋１００に入れて、さらにメッシュ袋１００に設けられる管理タグ保持部１２０に管理タグ２０を保持させる。
タグ付け工程Ｓ１３は、衣服１０をメッシュ袋１００に入れて、さらにメッシュ袋１００に設けられる管理タグ保持部１２０に管理タグ２０を保持させて、管理タグ２０と衣服１０とを一体として扱える様にする。
タグ付け工程Ｓ１３は、衣服１０がポケットを持たない衣服１２であるときに、衣服１０をメッシュ袋１００に入れて、さらにメッシュ袋１００に設けられる管理タグ保持部１２０に管理タグ２０を保持させて、管理タグ２０と衣服１２とを一体として扱える様にする。
タグ付け工程Ｓ１３は、衣服１０をメッシュ袋１００に入れて、さらにメッシュ袋１００に設けられるポケット状の管理タグ保持部１２０に管理タグ２０を入れて保持させてもよい。
図５は、ポケットを持たない衣服１０であるスカート１２をメッシュ袋本体１１０に入れ、管理タグ２０をポケット状の管理タグ保持部１２０に入れて、衣服と管理タグ２０とを一体として扱える様にする様子を示す。
【００６４】
洗浄工程Ｓ２１は、衣服１０を洗浄する工程である。
洗浄工程Ｓ２１は、管理タグ２０を保持する管理タグ保持部１２０が固定されるメッシュ袋１００に入れられる衣服１０をメッシュ袋１００ごと洗浄する。
洗浄工程Ｓ２１は、衣服１２を管理タグごとドライクリーニングし、乾燥させてもよい。
【００６５】
乾燥工程Ｓ２２は、衣服を乾燥させる工程である。
乾燥工程Ｓ２２は、衣服をハンガー３００を用いて吊るして乾燥させてもよい。
乾燥工程Ｓ２２は、仕上げられた衣服をハンガーに掛け、さらに衣服を入れたメッシュ袋の管理タグ保持部から取りだした管理タグをハンガーに付けて、衣服を乾燥させてもよい。
図６（Ａ）は、仕上げられた衣服であるスカート１２をハンガーである工場内ハンガー３００に掛け、さらにメッシュ袋１００の管理タグ保持部１２０から取りだした管理タグ２０を工場内ハンガー３００の管理タグ保持部３２０に保持させる様子を示す。
乾燥工程Ｓ２２は、メッシュ袋に入れられた衣服をメッシュ袋ごと回転するドラムを用いて乾燥させてもよい。
図６（Ｂ）は、メッシュ袋に入れられた衣服をメッシュ袋ごと回転するドラムに入れて乾燥させる様子を示す。
【００６６】
包装前工程Ｓ２４は、衣服１０を包装するための前処理をする工程である。
包装前工程Ｓ２４は、仕上げられた衣服をハンガーに掛け、さらに衣服を入れたメッシュ袋の管理タグ保持部から取りだした管理タグをハンガーに付ける。
包装前工程Ｓ２４は、仕上げられた衣服をハンガーに掛け、さらに衣服１０を入れたメッシュ袋１００の管理タグ保持部１２０から取りだした管理タグ２０をハンガー３００に付けて、衣服１０を包装するための前処理をする
図７は、仕上げられた衣服であるスカート１２をハンガーであるサービスハンガー４００に掛け、さらにメッシュ袋１００の管理タグ保持部１２０から取りだした管理タグ２０をサービスハンガー４００に保持させる様子を示す。
既に、乾燥工程Ｓ２２で衣服がハンガーに掛けられているときは、包装前工程Ｓ２４は、仕上げられた衣服を管理タグを保持されたハンガーに掛けて、衣服を包装するための前処理をする。
【００６７】
次に、本発明の第三の実施形態にかかる業務用クリーニング方法を、図を基に、説明する。
図８は、本発明の第三の実施形態に係る業務用クリーニング方法のフロー図である。図９は、本発明の第三の実施形態に係るタグ付け工程の概念図である。図１０は、本発明の第三の実施形態に係る包装前工程の概念図である。
以下では、説明の便宜上、衣服はワイシャツであるとして説明する。
一般に、ワイシャツは、水洗いされる。
【００６８】
本発明の第三の実施形態にかかる業務用クリーニング方法は、管理システムにより一群として管理される単数または複数の衣服を業務としてクリーニングする方法である。
本発明の第三の実施形態にかかる業務用クリーニング方法は、準備工程と発行工程Ｓ１２と客単位ベルト止め工程Ｓ１３Ａと洗浄工程Ｓ２１とで構成される。
本発明の第三の実施形態にかかる業務用クリーニング方法は、準備工程と発行工程Ｓ１２と客単位ベルト止め工程Ｓ１３Ａと洗浄工程Ｓ２１と脱水／乾燥工程Ｓ２２Ａと仕上げ工程Ｓ２３と包装前工程Ｓ２４とで構成されてもよい。
本発明の第三の実施形態にかかる業務用クリーニング方法は、準備工程と発行工程Ｓ１２と客単位ベルト止め工程Ｓ１３Ａと洗浄工程Ｓ２１と脱水／乾燥工程Ｓ２２Ａと仕上げ工程Ｓ２３と包装前工程Ｓ２４と包装工程Ｓ２５とで構成されてもよい。
本発明の第三の実施形態にかかる業務用クリーニング方法は、準備工程と受付工程Ｓ１１と発行工程Ｓ１２と客単位ベルト止め工程Ｓ１３Ａと袋入れ工程Ｓ１４と洗浄工程Ｓ２１と脱水／乾燥工程Ｓ２２Ａと仕上げ工程Ｓ２３と包装前工程Ｓ２４と包装工程Ｓ２５とアッセンブリ工程Ｓ２６と返却工程Ｓ３１とで構成されてもよい。
【００６９】
準備工程と受付工程Ｓ１１と発行工程Ｓ１２と客単位ベルト止め工程Ｓ１３Ａと袋入れ工程Ｓ１４とは店舗前工程Ｓ１０であり、店舗で顧客ごとに実施される。
洗浄工程Ｓ２１と脱水工程Ｓ２２Ａと仕上げ工程Ｓ２３と包装前工程Ｓ２４と包装工程Ｓ２５とアッセンブリ工程Ｓ２６とは工場工程Ｓ２０であり、工場で衣服毎に実施される。
返却工程Ｓ３１は店舗後工程であり、店舗で顧客毎に実施される。
客単位ベルト止め工程Ｓ１３Ａは、店舗で行うかわりに、工場行程で行っても良い。
【００７０】
受付工程Ｓ１１と袋入れ工程Ｓ１４と仕上げ工程Ｓ２３と包装工程Ｓ２５とアッセンブリ工程Ｓ２６と返却工程Ｓ３１の構成は、第一の実施形態にかかるものと同じなので、説明を省略する。
【００７１】
準備工程は、群管理タグ２０ｇとベルト２００とハンガー３００、４００とを準備する工程である。
群管理タグ２０ｇは、管理のためのコードである群管理コードを表すことのできるタグである。
例えば、群管理コードは、顧客毎に関連づけられる。
群管理コードは、店舗または工場で、顧客に関連づけられる。
ベルト２００は、群管理タグを付けられるものである。
【００７２】
ベルト２００は、管理システムにより一群として管理される単数または複数の衣服を業務として行うクリーニングに用いるものである。
ベルト２００は、ベルト本体２１０と管理タグ保持部２２０とで構成される。
ベルト本体２１０は、一群として管理される単数または複数の衣服を束ねて縛ることをできるものである。
例えば、ベルト本体２１０は、結束バンド状のものである。
管理タグ保持部２２０は、管理システムにより一群として管理される単数または複数の衣服に関連づけられた管理のためのコードである群管理コードを表される群管理タグを保持できる部分でありベルト本体に固定される。
例えば、群管理コードが群管理タグの管理タグ保持部２２０に刻印、または印刷されていてもよい。
管理タグ保持部２２０が、群管理タグ２０ｇを保持できベルト本体２１０に固定できるプレート状の部分であってもよい。
図１２は、ベルト２００の一例を示す。
図１２に、結束バンド状のベルト本体２１０とベルト本体２１０に固定され群管理タグ２０ｇを保持できるプレート状の部材とで構成される管理タグ保持部２２０が示される。
【００７３】
ハンガー３００は、管理システムにより管理して一群として管理される単数または複数の衣服を業務として行うクリーニングに用いるものである。
ハンガー３００は、ハンガー本体３１０で構成される。
ハンガー本体３１０は、衣服１０を掛けることのできるものである。
【００７４】
発行工程Ｓ１２は、管理システムにより一群として管理される単数または複数の衣服に関連づけられる群管理コードを表された群管理タグ２０ｇを発行する工程である。
群管理コードは、管理システムにより顧客毎に顧客に関連づけられる。
店舗でクリーニングのための衣服１０を受け取ると、管理伝票と共に群管理タグ２０ｇを発行する。
店舗でクリーニングのための衣服１０を受け取ると、管理伝票と共に群管理タグ２０ｇと管理タグ２０とを発行してもよい。
顧客毎に、管理タグ２０に表された管理コードは群管理タグ２０ｇに合わされた群管理コードに関連づけされる。
【００７５】
客単位ベルト止め工程Ｓ１３Ａは、群管理タグ２０ｇと一群として管理される単数または複数の衣服１０とを一体として扱える様にする工程である。
客単位ベルト止め工程Ｓ１３Ａは、群管理タグを固定されるベルト２００で一群として管理される単数または複数の衣服１０を束ねて縛る。
客単位ベルト止め工程Ｓ１３Ａは、群管理タグを固定されるベルトで一群として管理される単数または複数の衣服１０を束ねて縛り、群管理タグ２０ｇと一群として管理される単数または複数の衣服１０とを一体として扱える様にする。
図９は、ベルト２００で複数のワイシャツ１３を束ねて縛る様子をしめす。
【００７６】
洗浄工程Ｓ２１は、一群として管理される単数または複数の衣服１０を洗浄する工程である。
洗浄工程Ｓ２１は、群管理タグ２０ｇを付けるベルト２００ごと一群として管理される単数または複数の衣服１０を洗浄する。
洗浄工程Ｓ２１は、群管理タグ２０ｇを付けるベルト２００ごと一群として管理される単数または複数の衣服１０を洗浄して一群として管理される単数または複数の衣服１０を洗浄する。
洗浄工程Ｓ２１は、一群として管理される単数または複数の衣服１０を群管理タグ２０ｇごと水洗いし、脱水させてもよい。
【００７７】
脱水／乾燥工程Ｓ２２Ａは、衣服を脱水、または乾燥処理させる工程である。
脱水／乾燥工程Ｓ２２Ａは、群管理タグ２０ｇを付けるベルト２００ごと一群として管理される単数または複数の衣服１０を洗浄して一群として管理される単数または複数の衣服１０を脱水させる。
または、脱水／乾燥工程Ｓ２２Ａは、群管理タグ２０ｇを付けるベルト２００ごと一群として管理される単数または複数の衣服１０を洗浄して一群として管理される単数または複数の衣服１０を乾燥させる。
【００７８】
仕上げ行程Ｓ２３は、脱水された衣服、または乾燥処理された衣服を仕上げる行程である。
例えば、仕上げ行程Ｓ２３は、脱水された衣服、または乾燥処理された衣服をプレスして仕上げる。
【００７９】
包装前工程Ｓ２４は、一群として管理される単数または複数の衣服１０を包装するための前処理をする工程である。
包装前工程Ｓ２４は、一群として管理される単数または複数の衣服を複数のハンガーに各々に掛け、さらに群管理コードに関連づけられる管理コードを表した管理タグ２０を各々のハンガーに各々に付ける。
図１０は、複数の衣服を複数のハンガーであるサービスハンガー４００に各々に掛け、さらに群管理タグに表された群管理コードに関連づけられる３つの管理コードを表される３つの管理タグ２０を３つのサービスハンガー４００に各々に保持させる様子を示す。
例えば、管理ダグ２０が、群管理タグ２０ｇに表される群管理コードに関連づけされた顧客がクリーニングを依頼した衣服に関連づけされる管理コードを表されるタグである。
【００８０】
本発明の実施形態にかかる業務用クリーニング方法とそれに用いるメッシュ袋、ベルト、ハンガーは、その構成により以下の効果を奏する。
衣服１０に関連づけられた管理コードを表された管理タグ２０を発行し、ポケットを持つ衣服１１のポケットに管理タグ２０を入れて衣服１０と管理タグ２０とを一体として扱える様にし、管理タグ２０をポケットに入れられた衣服１１を管理タグ２０ごと洗浄して衣服を洗浄する様にしたので、従来の管理タグを衣服に固定する作業を省略できて管理のための作業が簡便になる。
また、衣服１０を仕上げて、仕上げられたポケットをもつ衣服１０をハンガー３００に掛け、衣服を乾燥させ、さらに衣服１０のポケットから取りだした管理タグ２０をサービスハンガー４００に保持させて、衣服を包装するための前処理をする様にしたので、従来の管理タグを衣服に固定する作業を省略できて衣服に管理タグが残らず客に返却する衣服の見栄えが向上する。
管理システムによりポケットを持なたい衣服１２に関連づけられた管理コードを表された管理タグ２０を発行し、管理タグ２０を保持する管理タグ保持部２２０が固定されるメッシュ袋１００に入れられるポケットを持たない衣服１２をメッシュ袋１００ごと洗浄して衣服を洗浄する様にしたので、従来の管理タグを衣服に固定する作業を省略できて管理のための作業が簡便になる。
また、ポケット無し衣服１２を仕上げ、仕上げられたポケットを持たない衣服１２をハンガー３００に掛け、またはポケットを持たない衣服１２を入れたメッシュ袋の管理タグ保持部から取りだした管理タグをハンガー３００に付けて、衣服を乾燥させ、またはサービスハンガー４００に衣服を掛けて、衣服を包装するための前処理をする様にしたので、従来の管理タグを衣服に固定する作業を省略できて衣服に管理タグが残らず客に返却する衣服の見栄えが向上する。
管理システムにより一群として管理される単数または複数の衣服に関連づけられる群管理コードを表された群管理タグ２０ｇを発行し、群管理タグ２０ｇを付けるベルト２００で一群として管理される単数または複数のワイシャツ１３を束ねて縛って、群管理タグ２０ｇと一群として管理される単数または複数のワイシャツ１３とを一体として扱える様にし、群管理タグ２０ｇを付けるベルト２００ごと一群として管理される単数または複数のワイシャツ１３を洗浄して、一群として管理される単数または複数のワイシャツ１３を洗浄する様にしたので、従来の管理タグを衣服に固定する作業を省略して、一群の単数または複数の衣服を群として管理でき、管理のための作業が簡便になる。
また、一群として管理される単数または複数のワイシャツ１３を各々に仕上げ、一群として管理される単数または複数の衣服を複数のサービスハンガー４００に各々に掛け、さらに群管理コードに関連づけられる管理コードを表した管理タグを複数のサービスハンガー４００に付けて、一群として管理される単数または複数の衣服を包装するための前処理をする様にしたので、従来の管理タグを衣服に固定する作業を省略できて、衣服に管理タグが残らず返却する衣服の見栄えが向上する。
衣服を入れることのできるメッシュ袋１００に管理システムにより衣服に関連づけられた管理のためのコードである管理コードを表されたタグである管理タグ２０を保持できる部分を固定する様にしたので、従来の管理タグを衣服に固定する作業を省略できて管理のための作業が簡便になる。
また、メッシュ袋１００に管理タグを入れることのできるポケット状の部分を固定する様にしたので、従来の管理タグ２０を衣服に固定する作業を省略できて管理のための作業が簡便になる。
一群として管理される単数または複数のワイシャツを束ねて縛ることをできるベルト本体２１−に、管理システムにより一群として管理される単数または複数のワイシャツに関連づけられた管理のためのコードである群管理コードを表される群管理タグ２０ｇを保持できる部分を固定する様にしたので、従来の管理タグを衣服に固定する作業を省略できて管理のための作業が簡便になる。
また、一群として管理される単数または複数のワイシャツを束ねて縛ることをできるベルト本体２１０に群管理タグ２０ｇを保持できベルト本体に固定できるプレート状の部分を固定する様にしたので、従来の管理タグを衣服に固定する作業を省略できて管理のための作業が簡便になる。
ハンガー本体３１０に管理システムにより衣服に関連づけられた管理のためのコードである管理コードを表されるタグである管理タグ２０を保持できる部分を固定する様にしたので、従来の管理タグを衣服に固定する作業を省略できて管理のための作業が簡便になる。
また、ハンガー本体３１０に管理タグ２０を挟むことのできるクリップ状の部分を固定する様にしたので、従来の管理タグを衣服に固定する作業を省略できて管理のための作業が簡便になる。
ハンガー本体３１０に、管理システムにより一群として管理される単数または複数の衣服に関連づけられた管理のためのコードである群管理コードを表されるタグである群管理タグ２０ｇを保持できる部分を固定する様にしたので、従来の管理タグを衣服に固定する作業を省略できて管理のための作業が簡便になる。
また、ハンガー本体３１０に管理タグ保持部３２０を群管理タグを挟むことのできるクリップ状の部分を固定する様にしたので、従来の管理タグを衣服に固定する作業を省略できて管理のための作業が簡便になる。
【００８１】
本発明は以上に述べた実施形態に限られるものではなく、発明の要旨を逸脱しない範囲で各種の変更が可能である。
ポケットを持つ衣服として背広であるとして説明したが、これに限定されない。
ポケットを持たない衣服としてスカートであるとして説明したが、これに限定されない。
群管理タグを用いる衣服としてワイシャツであるとして説明したが、これに限定されない。
【符号の説明】
【００８２】
１０  衣服
１１  ポケットを持つ衣服
１２  ポケットを持たない衣服  
１３  ワイシャツ
２０  管理ダグ
２０ｇ  群管理タグ
１００  メッシュ袋
１１０  メッシュ袋本体
１２０  管理タグ保持部
２００  ベルト
２１０  ベルト本体
２２０  管理タグ保持部
３００  ハンガー（工場内ハンガー）
３１０  ハンガー本体
３２０  管理タグ保持部
４００  ハンガー（サービスハンガー）
４１０  ハンガー本体
Ｓ１０  店舗前工程
Ｓ１１  受付工程
Ｓ１２  発行工程
Ｓ１３  タグ付け工程
Ｓ１３Ａ  客単位ベルト止め行程
Ｓ１４  袋入れ工程
Ｓ２０  工場工程
Ｓ２１  洗浄工程
Ｓ２２  乾燥工程
Ｓ２２Ａ  脱水／乾燥工程
Ｓ２３  仕上げ工程
Ｓ２４  包装前工程
Ｓ２５  包装工程
Ｓ２６  アッセンブリ工程
Ｓ３０  店舗後工程
Ｓ３１  返却工程
【先行技術文献】
【特許文献】
【００８３】
【特許文献１】特開平０８−３２０６５３号
【特許文献２】特開平０７−１１０６５６号
【特許文献３】特開２００２−３５４９９号
【図１】
2018000652.tif 000003
【図２】
2018000652.tif 000004
【図３】
2018000652.tif 000005
【図４】
2018000652.tif 000006
【図５】
2018000652.tif 000007
【図６】
2018000652.tif 000008
【図７】
2018000652.tif 000009
【図８】
2018000652.tif 000010
【図９】
2018000652.tif 000011
【図１０】
2018000652.tif 000012
【図１１】
2018000652.tif 000013
【図１２】
2018000652.tif 000014
【図１３】
2018000652.tif 000015